(57)【要約】【課題】ミキシングコンソールなどにおいて、第１操作子群の操作子で複数機能から特定機能を選択し、第２操作子群の操作子で特定機能の複数の音響パラメータを設定する際に、直感的に判断して操作性を高める。【解決手段】ＤＹＮ選択操作子１Ａ、ＦＸ選択操作子１Ｂ、ＡＵＸ選択操作子１Ｃ、ＥＱ／ＰＡＮ選択操作子１Ｄで、各機能を選択する。ボリューム操作子２ａ，２ｂ，２ｃ，２ｄで、選択された機能に対応する音響パラメータを設定する。ボリューム操作子２ａ，２ｂ，２ｃ，２ｄに設けた導光体２２の発光色を、選択操作子１Ａ，〜１Ｄの選択状態に応じて変化させる。フェーダ等のスライド操作子にも発光素子を設けて設定した機能に応じて発光色を変える。【選択図】図１
2006093836.tif 000002
【特許請求の範囲】
【請求項１】
多数のパラメータを設定する複数操作子からなる第１操作子群及び第２操作子群を有し、該２つの操作子群によって多数のパラメータを設定するためのパラメータ設定装置において、
前記第１操作子群は、各々の操作子によって複数機能の内の１つの機能を選択するものであり、
前記第２操作子群は、各々の操作子によって前記選択された特定機能の内の該機能に関連する１つのパラメータを設定するものであり、
前記第２操作子群の少なくとも２つ以上の操作子を、前記複数機能に対応して前記選択された特定機能を色的に識別し得るように識別制御手段にて色制御するようにしたことを特徴とするパラメータ設定装置。
【請求項２】
請求項１記載のパラメータ設定装置であって、
複数の電気信号を入力し、多数の各操作子にて該信号を加工して出力するミキシングコンソール装置に適用したことを特徴とするパラメータ設定装置。
【請求項３】
固定部と移動部とからなり、前記固定部に対して移動部を移動させ、前記移動部に有した操作子でパラメータを変更設定し得るようにしたパラメータ設定装置において、
前記操作子は複数機能に対応して各機能を色的に識別し得るように識別制御手段にて色制御するように構成され、
前記移動部に導光体を固着し、前記固定部に前記色制御に対応して発光する発光素子を設けたことを特徴とするパラメータ設定装置。
【請求項４】
固定部と移動部とからなり、前記固定部に対して移動部を移動させ、前記移動部に有した操作子でパラメータを変更設定し得るようにしたパラメータ設定装置において、
前記操作子は複数機能に対応して各機能を色的に識別し得るように識別制御手段にて色制御するように構成され、
前記移動部に前記色制御に対応して発光する発光素子を設けたことを特徴とするパラメータ設定装置。
【発明の詳細な説明】
【技術分野】
【０００１】
本発明は、複数操作子の操作で多数のパラメータを設定するパラメータ設定装置に関し、特に、多数の音響パラメータを設定して複数系統のバスシステムを介して複数の信号をミキシングし、適切な音響を発生するためのミキシングコンソールに適したパラメータ設定装置に関する。
【背景技術】
【０００２】
従来、ミキシングコンソールは放送局、レコーディングスタジオ、コンサート会場等で使用され、各種の楽器やボーカル等の音声信号をプレイヤー用のモニタやミキサ用のモニタ等として出力するために、多くの信号に対して各種の制御（信号処理）を行う必要がある。このため、操作パネルには各種の多数の操作子が配設されており、操作パネルの操作性を向上させて、操作者の負担を軽減することが要求される。
【０００３】
例えば、特開平９−１９８９５３号公報には複数のフェーダ摘みに対して、赤、緑、黄色などの如く色を異ならせ、色を識別することでフェーダ摘みの位置などがわかるようにした技術が開示されている。このように、色により視覚的に操作子を識別できると多数の操作子を操作する場合に操作者の負担を軽減することができる。
【０００４】
また、デジタルミキサとして、複数操作子からなる第１操作子群と第２操作子群を備え、第１操作子群で複数機能の１つを選択し、その選択した機能についての複数の音響パラメータを第２操作子群の操作で設定するものがある。これにより、第１操作子群と第２操作子群の各操作子の組み合わせによって操作子数を少なくして多数の音響パラメータを設定できる。なお、第１操作子群の操作子にはその操作子（機能）が選択されていることを示すインジケータを備えたものがある。
【０００５】
また、電子楽器の分野で、ドローバー（スライドボリューム）で音色を設定したり、音量等の楽音パラメータをスライド型操作子（スライドボリューム）で演奏前や演奏中に設定することも広く行われており、操作パネル上の該ボリュームとして、スライドボリュームが使用されている。そして、このようなボリュームを複数のパラメータ設定に移用することも考えられる。
【特許文献１】特開平９−１９８９５３号公報
【発明の開示】
【発明が解決しようとする課題】
【０００６】
上記のような従来のデジタルミキサでは、第２操作子群の操作子を操作するときに、現在どの機能が選択されているかは、第１操作子群の操作子のインジケータを確認しなければならず、素早い操作ができなかったり、誤操作を生じる原因にもなる。
【０００７】
本発明は、複数操作子の操作で多数のパラメータを設定し、例えば適切な音響を発生するためのパラメータ設定装置において、直感的に素早い操作ができるように操作性を高めることを課題とする。
【課題を解決するための手段】
【０００８】
請求項１のパラメータ設定装置は、複数操作子からなる第１操作子群の各々の操作子によって、複数機能の内の１つの機能を選択し、複数操作子からなる第２操作子群の各々の操作子によって、前記選択された特定機能の内の該機能に関連する１つのパラメータを設定するようにし、このとき、第２操作子群の少なくとも２つ以上の操作子を複数機能に対応して選択された特定機能を色的に識別し得るように色制御するようにした。これにより、選択された特定機能を色によって直感的に把握できる。また、２つ以上の操作子がセットで特定機能に対応することを容易に把握できる。
【０００９】
請求項２のパラメータ設定装置は、請求項１記載のパラメータ設定装置をミキシングコンソール装置に適用し、複数の電気信号を入力してそれを加工するための音響パラメータの設定時の操作性を高めた。
【００１０】
請求項３のパラメータ設定装置は、固定部に対して操作子に対応する移動部を移動させることによってパラメータを変更設定し得る操作子により、複数のパラメータを設定する。このとき、操作子を複数機能に対応して各機能を色的に識別し得るように色制御するとともに、前記固定部に設けた発光素子の発光を前記移動部に固着した導光体を介して視認できるようにして、その発光色で色的に識別し得るようにした。移動部を固定部に対して「移動させる」とは、固定部に対して回転するものも含み、この場合移動部の回転中心に導光体を設けることで固定部の発光素子の発光を容易に導光することができる。
【００１１】
請求項４のパラメータ設定装置は、固定部に対して操作子に対応する移動部を移動させることによってパラメータを変更設定し得る操作子により、複数のパラメータを設定する。このとき、操作子を複数機能に対応して各機能を色的に識別し得るように色制御するとともに、前記移動部に設けた発光素子の発光で色的に識別し得るようにした。操作子に対応する移動部は例えば固定部に対してスライドするものでもよい。
【発明の効果】
【００１２】
請求項１によれば、複数操作子の操作で多数のパラメータを設定するパラメータ設定装置において、第２操作子群の少なくとも２つ以上の操作子を複数機能に対応して色的に識別し得るようにしたので、現在選択されている機能を色で直感的に把握することができ、素早い操作ができて操作性が高まる。
【００１３】
請求項２によれば、請求項１の効果が得られるとともに、設定する音響パラメータの数の多いミキシングコンソール装置に適用したので、さらに高い効果が得られる。
【００１４】
請求項３によれば、現在選択されている機能を色で直感的に把握できるので、素早い操作ができて操作性が高まり、特に、回転操作する操作子に適用するのに適している。
【００１５】
請求項４によれば、現在選択されている機能を色で直感的に把握できるので、素早い操作ができて操作性が高まり、特に、スライド操作する操作子に適用するのに適している。
【発明を実施するための最良の形態】
【００１６】
以下、図面を参照して本発明の実施形態について説明する。図３は実施形態のパラメータ設定装置を適用したミキシングコンソールの一部回路図であり、多数の入力チャンネルの内の１チャンネル分だけ示してある。なお、上記回路図における各スイッチ、ボリューム回路、フェーダ回路等は電子的に作動するものであり、例えば、ボリューム回路は後述のロータリエンコーダのボリューム操作子の回転量及び回転方向に応じた信号によりパラメータが設定され、フェーダ回路ではスライドボリューム装置におけるスライド操作子のスライド位置に相当する信号によりパラメータが設定される。すなわち、パネル面に設けられた操作子に連動するエンコーダの出力信号に応じてそれぞれ回路のパラメータが設定され、このパラメータによって出力レベル等が決まる。
【００１７】
図３において、モノラル入力チャンネル１０は１チャンネル分のモノラル音声信号（マイク入力／ライン入力）を入力し、ダイナミックス回路（ＤＹＮ）１０Ａ、イコライザ回路（ＥＱ）１０Ｂ、チャンネルオンスイッチａ１を介して第１コモン信号線ａ２に入力される。また、フェーダ回路ａ３を介して第２コモン信号線ａ４に入力される。そして、この第１コモン信号線ａ２及び第２コモン信号線ａ４の信号は、ＡＵＸステレオセンドレベル制御回路１０Ｃ、ステレオセンドレベル制御回路１０Ｄに供給される。
【００１８】
ダイナミックス回路１０Ａは、入力信号のトータル出力レベル、ダイナミックレンジの上限であるスレッショルドレベル、入出力の比であるレシオ、ペアとされる入力チャンネルに追従して入力を立ち上げるときの遅延量であるアタックの各パラメータが設定され、これらのパラメータに応じた信号をイコライザ回路１０Ｂに出力する。イコライザ回路１０Ｂは、周波数の低域側からローバンド、ローミドルバンド、ハイミドルバンド、ハイバンドの４つの帯域毎にフィルタ特性が設定され、これらのフィルタ特性に応じて入力信号を透過し、チャンネルオンスイッチａ１に出力する。なお、上記ダイナミックス回路１０Ａの各パラメータ（入力Ａ）、イコライザ回路１０Ｂのフィルタ特性を設定する各パラメータ（入力Ｄ１）は、後述説明するパラメータ設定部１００Ａにより設定される。
【００１９】
ＡＵＸステレオセンドレベル制御回路１０Ｃにおいて、プリスイッチａ５はフェーダ回路ａ３を介した信号を入力するかフェーダ回路ａ３を介さない信号を入力するかを切り替える。レベルボリューム回路ａ６は、パラメータ設定部１００Ａによりパラメータ（入力Ｃ）が設定され、第１コモン信号線ａ２または第２コモン信号線ａ４の信号をレベル調整する。このレベルボリューム回路ａ６でレベル調整された信号は、パンボリューム回路ａ７でパンニングが調整され、このパンニングが調整されたＬ，Ｒ信号はＡＵＸオンスイッチａ８を介してバスシステム２０に出力される。図では点々の省略記号で示してあるが、このＡＵＸステレオセンドレベル制御回路１０Ｃは、１チャンネル分のモノラル入力チャンネル１０において４チャンネル分（ＡＵＸ１〜ＡＵＸ４）が並列に設けられている。
【００２０】
ステレオセンドレベル制御回路１０Ｄにおいて、パンボリューム回路ａ９は、パラメータ設定部１００Ａによりパラメータ（入力Ｄ２）が設定され、フェーダ回路ａ３の出力信号をパンニング調整する。このパンボリューム回路ａ９でパンニング調整されたＬ，Ｒ信号はステレオオンスイッチａ１０を介してそれぞれバスシステム２０に出力される。
【００２１】
効果制御回路１０Ｅにおいて、エフェクタａ１１はバスシステム２０のＡＵＸ１〜ＡＵＸ４の信号に対して効果を付加し、この効果を付加した信号をレベルボリューム回路ａ１２に出力する。このレベルボリューム回路ａ１２は、パラメータ設定部１００Ａによりパラメータ（入力Ｂ）が設定され、エフェクタａ１１の出力信号をレベル調整する。このレベルボリューム回路ａ１２でレベル調整されたＦＸ１〜ＦＸ４の信号はバスシステム２０に出力される。図では点々の省略記号で示してあるが、この効果制御回路１０Ｅは、１チャンネル分のモノラル入力チャンネル１０において４チャンネル分（ＦＸ１〜ＦＸ４）が並列に設けられている。
【００２２】
パスシステム２０にはＡＵＸステレオ出力レベル制御回路（ＡＵＸ ＳＴＥＲＥＯ）３０とステレオ出力レベル制御回路（ＳＴＥＲＥＯ）４０が接続されている。ＡＵＸステレオ出力レベル制御回路３０は、ＡＵＸステレオセンドレベル制御回路１０ＣのＬ，Ｒ信号に対応して設けられており、その信号をミキサ回路ａ１３、フェーダ回路ａ１４、ＡＵＸ出力オンスイッチａ１５を介して外部に出力する。また、ステレオ出力レベル制御回路４０は、ステレオセンドレベル制御回路１０ＤのＬ，Ｒ信号に対応して設けられており、その信号をミキサ回路ａ１６、フェーダ回路ａ１７、ステレオ出力オンスイッチａ１８を介して外部に出力する。
【００２３】
図１は実施形態のミキシングコンソールのパネル面１００のパラメータ設定部１００Ａの拡大図、図２は同パネル面１００の全体図である。なお、このパネル面１００の説明ではパネル面１００を正面から見た状態での上下左右で方向を示す。パネル面１００には、モノラル入力チャンネル１０の入力レベルを調整するボリューム操作子５０、チャンネルオンスイッチａ１の操作ボタン６０、入力チャンネルの設置内容等を表示する液晶ディスプレイ７０、前記各種のパラメータを設定するパラメータ設定部１００Ａ、モノラル入力チャンネル１０の前記フェーダ回路ａ３、ＡＵＸステレオ出力レベル制御回路３０のフェーダ回路ａ１４、ステレオ出力レベル制御回路４０のフェーダ回路ａ１７を操作する、複数のスライド操作子６１からなるスライド操作子群８０等が設けられている。
【００２４】
図１に示したように、パラメータ設定部１００Ａには、その左側に第１操作子群の操作子として、白色のＤＹＮ選択操作子１Ａ、赤色のＦＸ選択操作子１Ｂ、青色のＡＵＸ選択操作子１Ｃ及び緑色のＥＱ／ＰＡＮ選択操作子１Ｄが縦に配設されている。また、ＥＱ／ＰＡＮ選択操作子１Ｄに並んで、第２操作子群の操作子として、内蔵されたロータリーエンコーダにそれぞれ取り付けられた第１〜第４のボリューム操作子２ａ，２ｂ，２ｃ，２ｄが横に配設されている。さらに、このボリューム操作子２ａ〜２ｄの下側には、フィルタ特性の帯域を選択する緑色の帯域選択操作子３ａ，３ｂ，３ｃ，３ｄがそれぞれ配設されている。なお、ＤＹＮ選択操作子１Ａの上にはチャンネルの設定内容を表示するための白色のＣＨＶＩＥＷ操作子４が配設されている。
【００２５】
ＤＹＮ選択操作子１Ａは、前記ダイナミックス回路１０Ａのパラメータを設定対象として選択するとき操作する操作子であり、このＤＹＮ選択操作子１Ａの横には、入力信号のトータル出力レベルのパラメータを示す「ＴＯＴＡＬ」、スレッショルドレベルのパラメータを示す「ＴＨＲＥＳＨ」、レシオのパラメータを示す「ＲＡＴＩＯ」、アタックのパラメータを示す「ＡＴＴＡＣＫ」の各文字が記されている。ＦＸ選択操作子１Ｂは、前記効果制御回路１０Ｅのレベルボリューム回路ａ１２のパラメータを設定対象として選択するとき操作する操作子であり、このＦＸ選択操作子１Ｂの横には、ＦＸ１〜４の各レベルボリューム回路ａ１２のパラメータを示す「ＦＸ１」、「ＦＸ２」、「ＦＸ３」、「ＦＸ４」の文字が記されている。ＡＵＸ選択操作子１Ｃは、前記ＡＵＸステレオセンドレベル制御回路１０Ｃのレベルボリューム回路ａ６のパラメータを設定対象として選択するとき操作する操作子であり、このＡＵＸ選択操作子１Ｃの横には、ＡＵＸ１〜４の各レベルボリューム回路ａ６のパラメータを示す「ＡＵＸ１」、「ＡＵＸ２」、「ＡＵＸ３」、「ＡＵＸ４」の文字が記されている。
【００２６】
ＥＱ／ＰＡＮ選択操作子１Ｄは、前記イコライザ回路１０Ｂのパラメータとステレオセンドレベル制御回路１０Ｄのパンボリューム回路ａ９のパラメータを設定対象として選択する操作子であり、ボリューム操作子２ａ，２ｂ，２ｃ，２ｄの各々の下に、ゲインのパラメータを示す「ＧＡＩＮ」、Ｑ値のパラメータを示す「Ｑ」、中心周波数のパラメータを示す「ＦＲＥＱ」、パンニングのパラメータを示す「ＰＡＮ」の文字が記されている。また、帯域選択操作子３ａ，３ｂ，３ｃ，３ｄの各々の下には、低域を示す「ＬＯＷ」、中低域を示す「ＬＯ−ＭＩＤ」、中高域を示す「ＨＩ−ＭＩＤ」、高域を示す「ＨＩＧＨ」文字が記されている。
【００２７】
また、上記の各表示とボリューム操作子２ａ〜２ｄとの間と、ＥＱ／ＰＡＮ選択操作子１Ｄと帯域選択操作子３ａ〜３ｄの間には、ガイド線Ｌが記されており、これにより、第１のボリューム操作子２ａは「ＴＯＴＡＬ」、「ＦＸ１」、「ＡＵＸ１」及び「ＧＡＩＮ」に対応し、第２のボリューム操作子２ｂは「ＴＨＲＥＳＨ」、「ＦＸ２」、「ＡＵＸ２」及び「Ｑ」に対応し、第３のボリューム操作子２ｃは「ＲＡＴＩＯ」、「ＦＸ３」、「ＡＵＸ３」及び「ＦＲＥＱ」に対応し、第４のボリューム操作子２ｄは「ＡＴＴＡＣＫ」、「ＦＸ４」、「ＡＵＸ４」及び「ＰＡＮ」に対応していることを示している。また、「ＬＯＷ」、「ＬＯ−ＭＩＤ」、「ＨＩ−ＭＩＤ」、「ＨＩＧＨ」の各帯域選択操作子３ａ，３ｂ，３ｃ，３ｄは、ＥＱ／ＰＡＮ選択操作子１Ｄの「ＥＱ」（イコライザ）に関連する操作子であることを示している。
【００２８】
ＤＹＮ選択操作子１Ａ、ＦＸ選択操作子１Ｂ、ＡＵＸ選択操作子１Ｃ、ＥＱ／ＰＡＮ選択操作子１Ｄ、及び帯域選択操作子３ａ〜３ｄには、ＬＥＤランプ等のインジケータα（α４１〜α４４）が取り付けられており、各操作子は押下状態（対応するスイッチのオン状態）となるとインジケータαが点灯する。操作子の突出状態／押下状態でもオン／オフを確認することもできるが、インジケータαが点灯するので、スイッチのオン状態を容易に確認できる。また、このインジケータα４１〜α４４の点灯色はＥＱ／ＰＡＮ選択操作子１Ｄの操作子操作面色及び／またはＥＱ／ＰＡＮ選択操作子１Ｄのインジケータα４と同色とする。
【００２９】
また、後述詳細に説明するように、各ボリューム操作子２ａ〜２ｄは、それぞれノブ２１の中央に導光体２２を備えており、この導光体２２はＤＹＮ選択操作子１Ａ、ＦＸ選択操作子１Ｂ、ＡＵＸ選択操作子１Ｃ、ＥＱ／ＰＡＮ選択操作子１Ｄの操作によって、その選択操作子の色に対応する「白」、「赤」、「青」、「緑」の色にて発光させる。したがって、ボリューム操作子２ａ〜２ｄまたは３ａ〜３ｄの発光色により、どの選択操作子（１Ａ〜１Ｄ）を選択した状態かを直感的に把握することができ、インジケータα１〜α４は無くてもよい。なお、各選択操作子１Ａ〜１Ｄは、これらの内の一つの操作子のみを択一的に押下状態とできるものであり、同時に２つ以上の操作子を押下状態とすることはできないようになっている。
【００３０】
図４はボリューム操作子２ａ〜２ｄを備えた各回転式ボリューム装置の一部破砕斜視図である。なお、各ボリューム装置は同一構造であり、ボリューム操作子２ａを例として説明する。この回転式ボリューム装置はロータリーエンコーダ２３の回転軸２３ａにボリューム操作子２ａを取り付けたものである。ボリューム操作子２ａはノブ２１の中心に棒状の導光体２２を嵌合固着して構成されている。また、ロータリーエンコーダ２３の回転軸２３ａは中心に縦の軸孔２３ｂを有しており、この軸孔２３ｂ内にボリューム操作子２ａの導光体２２が嵌合して固着されている。そして、ボリューム操作子２ａを回転操作することにより、その回転に応じた信号がロータリーエンコーダ２３から得られる。また、軸孔２３ｂの下部には多色発光ＬＥＤ素子２４が配設されている。この多色発光ＬＥＤ素子２４は、後述の赤色ＬＥＤ、緑色ＬＥＤ及び青色ＬＥＤで構成されており、各ＬＥＤの発光色の組み合わせにより多色で発光する。この多色発光ＬＥＤ素子２４は、全色幅は制限されるが、例えば赤と緑からなる２色ＬＥＤで構成してもよい。そして、この多色発光ＬＥＤ素子２４の光は導光体２２内を通ってボリューム操作子２ａ（２ｂ〜２ｄ）の上端部に出射し、前記パラメータ設定部１００Ａにおいてボリューム操作子２ａ（２ｂ〜２ｄ）の上端が発光して視認できる。
【００３１】
図５はパラメータ設定部１００Ａに関する回路図である。前記ＤＹＮ選択操作子１Ａ、ＦＸ選択操作子１Ｂ、ＡＵＸ選択操作子１Ｃ及びＥＱ／ＰＡＮ選択操作子１Ｄによってオン／オフされるスイッチ回路１１Ａ，１１Ｂ，１１Ｃ，１１Ｄが基準電圧Ｖに並列に接続され、これらのスイッチ回路１１Ａ，１１Ｂ，１１Ｃ，１１Ｄのオン信号はＨレベル信号、オフ信号はＬレベル信号となり、これらのオン／オフ信号は４ビットのビット信号としてパラメータ選択回路ｂ１とビット変換回路ｂ４に入力される。なお、スイッチ回路１１Ａ，１１Ｂ，１１Ｃ，１１Ｄは対応する選択操作子１Ａ〜１Ｄの操作により択一的にオンとなり、このビット信号は１つのビットがＨレベルで、他の３つのビットはＬレベルとなる。
【００３２】
また、前記ボリューム操作子２ａ〜２ｄによって駆動されるロータリーエンコーダ２３のエンコーダ回路１２ａ，１２ｂ，１２ｃ，１２ｄが基準電圧Ｖに並列に接続され、エンコーダ回路１２ａ，１２ｂ，１２ｃ，１２ｄは、ボリューム操作子２ａ〜２ｄの回転方向と回転量に対応する信号をパラメータ変更回路ｂ２に出力する。パラメータ変更回路ｂ２は全チャンネルレジスタｂ３から読み出されたパラメータを記憶しておき、そのパラメータをエンコーダ回路１２ａ，１２ｂ，１２ｃ，１２ｄから出力される信号に応じて変更し、パラメータ選択回路ｂ１に出力する。
【００３３】
ここで、全チャンネルレジスタ回路ｂ３は、パラメータ設定部１００Ａに対して選択可能なチャンネルの全てについて各々のパラメータを記憶しておくレジスタ群で構成されている。また、パラメータ選択回路ｂ１は、現在選択されているチャンネルを示すチャンネル選択信号に基づいて、そのチャンネルについて前記４ビットのビット信号で指定された種類のパラメータを全チャンネルレジスタ回路ｂ３から選択的に読み出し、パラメータ変更回路ｂ２に設定する。すなわち、パラメータ選択回路ｂ１は、ＤＹＮ選択操作子１Ａに関するパラメータ（Ａ）、ＦＸ選択操作子１Ｂに関するパラメータ（Ｂ）、ＡＵＸ選択操作子１Ｃに関するパラメータ（Ｃ）、ＥＱ／ＰＡＮ選択操作子１Ｄに関するパラメータ（Ｄ１，Ｄ２）の中から選択されているパラメータをパラメータ変更回路ｂ２に設定する。そして、このパラメータはパラメータ変更回路ｂ２によって変更され、この変更されたパラメータによりパラメータ選択回路ｂ１を介して全チャンネルレジスタ回路ｂ３の対応するレジスタが書き換えられる。
【００３４】
これにより、全チャンネルレジスタ回路ｂ３の出力Ａ、出力Ｂ、出力Ｃ、出力Ｄ１、出力Ｄ２が図３に示した回路（利用回路）に設定される。出力Ａはダイナミックス回路１０Ａの各パラメータとして入力され、出力Ｂは効果制御回路１０Ｅのレベルボリューム回路ａ１２にパラメータとして入力される。また、出力ＣはＡＵＸステレオセンドレベル制御回路１０Ｃのレベルボリューム回路ａ６にパラメータとして入力され、出力Ｄのうちのエンコーダ回路１２ａ，１２ｂ，１２ｃに対応する出力Ｄ１は、イコライザ回路１０Ｂのフィルタ特性を設定する各パラメータとして入力される。また、出力Ｄのうちのエンコーダ回路１２ｄに対応する出力Ｄ２はステレオセンドレベル制御回路１０Ｄのパンボリューム回路ａ９にパラメータとして入力される。
【００３５】
このようにして、ＤＹＮ選択操作子１Ａ、ＦＸ選択操作子１Ｂ、ＡＵＸ選択操作子１Ｃ及びＥＱ／ＰＡＮ選択操作子１Ｄによって選択されたパラメータが、ボリューム操作子２ａ〜２ｄの操作によって変更され、図３のパラメータが設定される。また、パラメータ設定部１００Ａに対して別のチャンネルが選択され、さらに選択操作子１Ａ〜１Ｄが選択されると、そのチャンネルのその種類の現在のパラメータがボリューム操作子２ａ〜２ｄに対応して設定され、このボリューム操作子２ａ〜２ｄの操作により、さらに更新される。なお、この選択されたチャンネルのパラメータは液晶ディスプレイ７０に表示される。
【００３６】
一方、図５において、ビット変換回路ｂ４は、スイッチ回路１１Ａ〜１１Ｄから入力される４ビット信号を３ビットのビット信号に変換する回路であり、この出力されるビット信号はスイッチ回路の１１Ａ〜１１Ｄのうちのオンとなっているスイッチ回路に対応する操作子１Ａ〜１Ｄの表面色を表わすビット信号となる。そしてこの３ビットのビット信号はＬＥＤ駆動回路ｂ５の各ＦＥＴ回路Ｔ１，Ｔ２，Ｔ３に対してそのゲート信号として入力される。
【００３７】
多色発光ＬＥＤ素子ｅ１，ｅ２，ｅ３，ｅ４のそれぞれは、図４で説明した多色発光ＬＥＤ素子２４であり、記号“Ｒ，Ｇ，Ｂ”（赤、緑、青）で示すＬＥＤは、赤色ＬＥＤ、緑色ＬＥＤ及び青色ＬＥＤである。“Ｒ，Ｇ，Ｂ”の各同色のＬＥＤは並列に接続され、“Ｒ”のＬＥＤは基準電圧ＶとＦＥＴ回路Ｔ１との間に接続され、“Ｇ”のＬＥＤは基準電圧ＶとＦＥＴ回路Ｔ２との間に接続され、“Ｂ”のＬＥＤは基準電圧ＶとＦＥＴ回路Ｔ３との間に接続されている。そして、ビット変換回路ｂ４からのビット信号に対応してＦＥＴ回路Ｔ１〜Ｔ３がオンとなると、オンとなったＦＥＴ回路に対応するＬＥＤが発光する。これにより、多色発光ＬＥＤ素子ｅ１，ｅ２，ｅ３，ｅ４は、発光したＬＥＤの色の組み合わせに応じて赤、緑、青、黄色（赤＋緑）、マジェンタ色（赤＋青）、シアン色（緑＋青）、白色（赤＋緑＋青）の７色のうちの何れか１つの色で発光する。
【００３８】
この実施例では、多色発光ＬＥＤ素子ｅ１，ｅ２，ｅ３，ｅ４は次の色で発光する。ＤＹＮ選択操作子１Ａ（スイッチ回路１１Ａ）がオンのとき「白色」、ＦＸ選択操作子１Ｂ（スイッチ回路１１Ｂ）がオンのとき「赤色」、ＡＵＸ選択操作子１Ｃ（スイッチ回路１１Ｃ）がオンのとき「青色」、ＥＱ／ＰＡＮ選択操作子１Ｄ（スイッチ回路１１Ｄ）がオンのとき「緑色」によて、それぞれ発光する。すなわち、このような発色となるように、ビット変換回路ｂ４はスイッチ回路１１Ａ，１１Ｂ，１１Ｃ，１１Ｄから入力される４ビット信号を３ビットのビット信号に変換してＬＥＤ駆動回路ｂ５のＦＥＴ回路Ｔ１〜Ｔ３に供給する。なお、この実施例では、スイッチ回路１１Ａ，１１Ｂ，１１Ｃ，１１Ｄ、ビット変換回路ｂ４、ＬＥＤ駆動回路ｂ５が請求項１及び請求項３の「識別制御手段」に対応する。
【００３９】
上記実施例では、多色発光ＬＥＤ素子ｅ１，ｅ２，ｅ３，ｅ４が前記７色の発光が可能な場合について説明したが、さらに多色で発光できるようにしてもよい。この場合、図５(A) のＬＥＤ駆動回路ｂ５のＦＥＴ回路Ｔ１〜Ｔ３を、図５(B) に示した多重ＦＥＴ回路Ｔで置き換え、この多重ＦＥＴ回路Ｔの各ＦＥＴ回路ｔ１〜ｔｎのオン／オフを制御することで前記“Ｒ，Ｇ，Ｂ”の各同色のＬＥＤに印加される電圧を制御する。これにより、“Ｒ，Ｇ，Ｂ”の各同色毎にそれぞれの輝度を制御できるので、その輝度の組み合わせに応じて、多色発光ＬＥＤ素子ｅ１，ｅ２，ｅ３，ｅ４をさらに多色で発光させることができる。なお、この多重ＦＥＴ回路Ｔの各ＦＥＴ回路ｔ１〜ｔｎのオン／オフの制御は、前記ビット変換回路ｂ４の出力、すなわちスイッチ回路１１Ａ〜１１Ｄのうちのオンとなった選択操作子を示す信号に応じて、その操作子の色となるような複数ビットの信号をテーブル等で生成して、各ＦＥＴ回路ｔ１〜ｔｎに印加するようにすればよい。
【００４０】
以上の実施例では、請求項３に対応して、図４に示した回転式ボリューム装置のロータリーエンコーダ２３が「固定部」、多色発光ＬＥＤ素子２４が「発光素子」、ボリューム操作子２ａ（２ｂ〜２ｄ）が該固定部に対して回転移動する「移動部」に相当する例について説明したが、請求項４に対応してフェーダ回路等を設定操作するスライド操作子及びスライドボリューム装置に対して本発明のパラメータ設定装置を適用することもできる。
【００４１】
図６はスライドボリューム装置の実施例を示す要部分解斜視図である。このスライドボリューム装置は、前記パネル面１００に対してその裏側で直角面を成す側板３１Ａ，３１Ｂと、２つのコ字状方向Ｚ，Ｙが各々直交する２つの断面コ字状のフレーム３１Ｃｕ，３１Ｃｄとにより「固定部」としてのフレーム３１が形成されている。フレーム３１Ｃｄは側板３１Ａ，３１Ｂの上端及び両端を上から囲うように取り付けられ、フレーム３１Ｃｕはこのフレーム３１Ｃｄの上に取り付けられる。そして、上側のフレーム３１Ｃｕの一端にはモータ３２が取り付けられるつともに、この上側のフレーム３１Ｃｕの両側の止め金具３１ａ，３１ｂによりフレーム３１全体が前面パネル１００の裏面に取り付けられる。なお、側板３１Ｂには後述の非接触式のスライドボリューム装置に適用されるフラットケーブル９１を引き出すためのリード線取り出し口３１１が形成されている。また、下側のフレーム３１Ｃｄの両端の端面３１ｃ，３１ｄ間には、側板３１Ａの長手方向Ｘに沿って互いに平行な第１の移動ガイド４１と第２の移動ガイド４２とが掛け渡されて取り付けられている。第１の移動ガイド４１は丸棒状の金属部材、第２の移動ガイド４２は角棒状の金属部材であり、この第１及び第２の移動ガイド４１，４２には、「移動部」の一部を構成する移動ブロック５１が該移動ガイド４１，４２の長手方向に摺動自在となるように取り付けられている。
【００４２】
フレーム３１Ｃｕの片側に配設されたモータ３２の駆動軸には駆動プーリ３２ａが取り付けられ、さらにフレーム３１Ｃｕの他端には従動プーリ３２ｂが配設されている。駆動プーリ３２ａと従動プーリ３２ｂにはタイミングベルト３２ｃが巻回されており、このタイミングベルト３２ｃの一箇所に移動ブロック５１の上部が取り付けられている。これにより、モータ３２の正逆回転により移動ブロック５１は第１及び第２の移動ガイド４１，４２に沿って往復移動する。これは、例えば該スライドボリューム装置（フェーダ）に別のチャンネルをアサインしたり別の機能にアサインしたときにそのパラメータに対応するように、スライド操作子６１の位置を自動設定するときの動作である。
【００４３】
図７は移動ブロック５１の要部斜視図であり、図６におけるＰ矢印の方から見た状態を示している。移動ブロック５１には、第１の移動ガイド４１が嵌挿される軸孔５１ａと、第２の移動ガイド４２が嵌挿される軸孔５１ｂ，５１ｂが形成され、さらに第２の動ガイド４２から離間するように軸孔５１ｂ，５１ｂよりも窪んだ面として基板収容部５１ｃが形成されている。基板収容部５１ｃには基板５２が固定されており、この基板５２には、弾性を有する導電性部材で形成しされたブラシ接点５２ａ，５２ｂ，５２ｃ，５２ｄが取り付けられている。また、３つのブラシ接点５２ａ，５２ｂ，５２ｃは導線５２ａ１，５２ｂ１，５２ｃ１に接続され、この導線５２ａ１，５２ｂ１，５２ｃ１は透孔５１ｄを通ってレバー５３に取り付けられた「発光素子」としての多色ＬＥＤ素子５４に接続されている。そして、図６に示したように、レバー５３には多色ＬＥＤ素子５４の上部発光面に対向する導光体６１ａを有するスライド操作子６１が取り付けられている。なお、この実施例では、移動ブロック５１、レバー５３、スライド操作子６１が「移動部」を構成している。
【００４４】
また、図７下の二点鎖線の吹き出し部に上図に対して左右反転して図示したように、移動ガイド４２の側面にはブラシ接点５２ａ，５２ｂ，５２ｃにそれぞれ接触するＬＥＤ導線パターン４２ａ，４２ｂ，４２ｃと、ブラシ接点５２ｄに共通に接触する導線パターン４２ｄとボリューム抵抗パターン４２ｅとが、それぞれ移動ガイド４２の長手方向の全長に亘って形成されている。このＬＥＤ導線パターン４２ａ，４２ｂ，４２ｃ及び導線パターン４２ｄは抵抗が略零の導線であり、図示しない回路に接続され、ＬＥＤ導線パターン４２ａ，４２ｂ，４２ｃに常時接触するブラシ接点５２ａ，５２ｂ，５２ｃを介して多色ＬＥＤ素子５４に駆動電流を供給する。図７の二点鎖線の吹き出し部に図示したように、多色ＬＥＤ素子５４は赤色ＬＥＤ５４ａと緑色ＬＥＤ５４ｂとで構成されており、その共通線５４１は導線５２ａ１とブラシ接点５２ａを介してＬＥＤ導線パターン４２ａに接続され、単独線５４ａ１，５４ｂ１は導線５２ｂ１，５２ｃ１及びブラシ接点５２ｂ，５２ｃを介してＬＥＤ導線パターン４２ｂ，４２ｃにそれぞれ接続される。
【００４５】
また、ボリューム抵抗パターン４２ｅは単位長当たりの所定の抵抗値を有しており、ボリューム抵抗パターン４２ｅと導線パターン４２ｄの片側一端は図示しない回路の電圧検出回路に接続されている。そして、ボリューム抵抗パターン４２ｅと導線パターン４２ｄはブラシ接点５２ｄによりこのブラシ接点５２ｄの位置で常時短絡されており、電圧検出回路側の端部からこのブラシ接点５２ｄの位置までの距離に応じて、その抵抗値を示す後述のボリューム回路Ｖ１として機能する（図８参照）。これにより、電圧検出回路で第２の移動ガイド４２に対するブラシ接点５２ｄの位置、すなわちスライド操作子６１の位置が検出される。
【００４６】
図８は上記スライドボリューム装置を用いたパラメータ設定装置の回路図である。この回路はスライドボリューム装置を複数（この例では３つ）の異なる機能に切り換え設定する回路であり、図示しない機能選択スイッチに連動するスイッチ回路ｃ１，ｃ２，ｃ３、セレクタ回路ｄ１，ｄ２を備えている。なお、図８は一つのスライドボリューム装置に対応する回路として示してあるが、前記スライド操作子群８０の複数の操作子６１に対応する複数のスライドボリューム装置についても同様の回路である。そして、機能選択スイッチで選択された同じ機能が他のスライドボリューム装置にも設定されるが、以下、一つのスライドボリューム装置について説明する。
【００４７】
スイッチ回路ｃ１，ｃ２，ｃ３の一端は接地（アース）されており、他端はセレクタ回路ｄ１の選択端子ｄ１１，ｄ１２，ｄ１３にそれぞれ接続されている。また、セレクタ回路ｄ１，ｄ２の共通接点の間にスライドボリューム装置の前記ボリューム回路Ｖ１が接続されている。セレクタ回路ｄ２の選択端子ｄ２１，ｄ２２，ｄ２３は基準電圧と利用回路２００に並列に接続されている。なお、この利用回路２００に並列に接続される信号線ｄ３，ｄ４，ｄ５は、それぞれ電圧信号を該利用回路２００において機能（１），（２），（３）に応じてそれぞれ所要の箇所にパラメータとして供給するものである。また、前記多色ＬＥＤ素子５４の赤色ＬＥＤ５４ａ，緑色ＬＥＤ５４ｂの一端は基準電圧に接続され、それぞれ他端は、抵抗ｒ１，ｒ２、スイッチ回路ｃ１，ｃ２を介してそれぞれ接地されるとともに抵抗ｒ３，ｒ４、スイッチ回路ｃ３を介して共通に接地される。抵抗ｒ〜ｒ４はＬＥＤの電流制限用抵抗である。
【００４８】
機能（１）を選択すると、スイッチ回路ｃ１がオン（閉成）されるとともに、セレクタｄ１の選択端子ｄ１１とセレクタｄ２の選択端子ｄ２１がそれぞれボリューム回路Ｖ１に接続される。機能（２）を選択すると、スイッチ回路ｃ２がオン（閉成）されるとともに、セレクタｄ１の選択端子ｄ１２とセレクタｄ２の選択端子ｄ２２がそれぞれボリューム回路Ｖ１に接続される。さらに、機能（３）を選択すると、スイッチ回路ｃ３がオン（閉成）されるとともに、セレクタｄ１の選択端子ｄ１３とセレクタｄ２の選択端子ｄ２３がそれぞれボリューム回路Ｖ１に接続される。したがって、スライドボリューム装置の操作により、ボリューム回路Ｖ１の抵抗値に応じた電圧信号が発生するが、この電圧信号は、機能（１）のとき信号線ｄ３から、機能（２）のとき信号線ｄ４から、機能（３）のとき信号線ｄ５からそれぞれ利用回路２００に供給される。
【００４９】
また、機能（１）のとき赤色ＬＥＤ５４ａのみが点灯し、機能（２）のとき緑色ＬＥＤ５４ｂのみが点灯する。また、機能（３）のときとき赤色ＬＥＤ５４ａと緑色ＬＥＤ５４ｂの両方が点灯する。これにより、スライド操作子６１の導光体６１ａは機能（１）のとき「赤色」、機能（２）のとき「緑色」、機能（３）のとき「黄色（赤＋緑）」に発光し、この導光体６１ａの発光色により、現在どの機能が選択されているかを容易に確認することができる。なお、この実施例ではスイッチ回路ｃ１，ｃ２，ｃ３が請求項４の「識別制御手段」に対応する。
【００５０】
以上の第２実施例では多色ＬＥＤ素子５４が赤色ＬＥＤ５４ａ，緑色ＬＥＤ５４ｂの２つのＬＥＤの場合について説明したが、第１実施例のように赤色ＬＥＤ、緑色ＬＥＤ、青色ＬＥＤ５４の３色を備えた多色ＬＥＤ素子を用いてもよい。この場合、図５(A) あるいは図５(B) と同様な構成で多種類の機能に対応して多色で発光させるようにする。
【００５１】
図７のスライドボリューム装置は接触式の例であるが、図９は非接触式のスライドボリューム装置の他の実施例を示す要部斜視図である。なお、この実施例と図７の実施例との違いは、移動ブロック５１′上の基板５２′に磁気式センサ７１を搭載している点、第１の移動ガイド４１′に磁極パターンＭが形成されている点、及び基板５２′にフラットケーブル９１を接続している点であり、その他の構成は図６及び図７と略同様である。したがって、この図９では要部を示すとともに、図７の実施例の要素と対応する要素に図７と同数字符号に「′」を付記する。
【００５２】
この実施例では、第１，第２の移動ガイド４１′，４２′を両方とも丸棒状の金属部材とし、この第１，第２の移動ガイド４１′，４２′に「移動部」の一部を構成する移動ブロック５１′が移動ガイド４１′，４２′の長手方向に摺動自在となるように取り付けられている。この実施例も前記側板３１Ａ，３１Ｂ、フレーム３１Ｃｕ，３１Ｃｄで構成されるフレーム３１が「固定部」である。また、移動ブロック５１′は、上辺のガイド保持部５ａの中央に矩形の空間（孔）Ｓが形成されているが、この空間Ｓは当該移動ブロック５１′の形成を容易にするものであり、なくてもよい。
【００５３】
図９の二点鎖線の吹き出し部に一部図示したように、ガイド保持部５ａの両端には該空間Ｓに貫通する保持孔５ａ１がそれぞれ形成され、この保持孔５ａ１に保持輪５１ａ′，５１ａ′が取り付けられている。ガイド保持部５ａの下面側部から下方には基板保持部５１ｃ′を有し、この基板保持部５１ｃ′の下部片側のガイド保持部５ｂには保持孔５ｂ１が形成されるとともにこの保持孔に保持輪５１ｂ′が取り付けられている。そして、第１の移動ガイド４１′が、保持輪５１ａ′，５１ａ′と空間Ｓを介してガイド保持部５ａを貫通するように嵌挿されてる。また第２の移動ガイド４２′が保持輪５１ｂ′を介してガイド保持部５ｂを貫通するように嵌挿されてる。各保持輪５１ａ′，５１ａ′，５１ｂ′の内面は滑らかに仕上げられており、移動ブロック５１′が移動ガイド４１′，４２′に沿って移動するとき滑らかに移動する。
【００５４】
基板保持部５１ｃ′には基板５２′が取り付けられ、この基板５２′には磁気式センサ７１が取り付けられている。また、基板５２′には、端子部９１ａを介してフラットケーブル９１の一端が接続されるとともに、導線５２ａ１′，５２ｂ１′，５２ｃ１′が接続されている。レバー５３′の上端には上下段違いの半円弧状のＬＥＤ保持部５ｄ１，５ｄ２が形成されており、このＬＥＤ保持部５ｄ１，５ｄ２には「発光素子」としての多色ＬＥＤ素子５４′が取り付けられている。導線５２ａ１′，５２ｂ１′，５２ｃ１′はガイド保持部５ａのフレーム３１Ａ用の対向部に設けた凹部５ａ２，５ａ３にゴム接着剤（引っぱれば引き剥がすことができる）にて接着係止され、ＬＥＤ保持部５ｄ２まで導かれて、多色ＬＥＤ素子５４′に接続されている。そして、レバー５３′には多色ＬＥＤ素子５４′の上部発光面に対向する導光体６１ａ′を有するスライド操作子６１′が取り付けられている。この実施例では、移動ブロック５１′、レバー５３′、スライド操作子６１′が「移動部」を構成している。導光体６１ａ′は無しとし、多色ＬＥＤ素子５４′をそのまま露出させるような構成としてもよい。
【００５５】
基板５２′上にはホール素子を含むＩＣ等で形成した磁気式センサ７１（または、ＭＲセンサ）が搭載されており、この磁気式センサ７１のセンシング面は第１の移動ガイド４１′に対して僅かなギャップ（間隔）を設けて対面している。さらに、この磁気式センサ７１の出力線と、前記多色ＬＥＤ素子５４′の導線５２ａ１′，５２ｂ１′，５２ｃ１′は、基板５２′に取り付けられたフラットケーブル９１を介して外部に接続されている。そして、このフラットケーブル９１から供給される電流により多色ＬＥＤ５４′は発光する。また、フラットケーブル９１を介して磁気式センサ７１へ通電されるとともに、この磁気式センサ７１の後述の検出信号はフラットケーブル９１を介して図示しない回路に送られる。
【００５６】
第１の移動ガイド４１′は、鉄を母材にし、ニッケル、コバルトを混合した合金で製造したものである。これにより、第１の移動ガイド４１′は、鉄そのものの性質をそのまま残すことができ、折れにくく、わずかに曲がっても元に戻るようなバネ性を有する。すなわち、折れやすいフェライト磁石そのものをガイドとするよりも、移動ガイド４１′は加圧力が加わっても折れにくく、装置の破壊を防止することができる。
【００５７】
さらに、図１０に示したように、第１の移動ガイド４１′は、長手方向にＮ極とＳ極とを交互に細かく分極して磁極を多数形成した磁石となっている。例えば、磁極はＮ極とＮ極の間が１００μｍピッチ（Ｎ極とＳ極間は５０μｍ）の高分解能磁石となっている。また、磁気式センサ７１は、ホール素子を含むＩＣ等で形成したもの（または、ＭＲセンサ）であり、この磁気式センサ７１のセンシング面７１ａは第１の移動ガイド４１′の磁極面４１ａ′に対して例えば０．１〜０．２ｍｍ程度の僅かなクリアランスＣＲ（間隔）を設けて対面している。そして、この磁極面４１ａ′の磁界が磁気式センサ７１で検出され、検出信号が得られる。
【００５８】
すなわち、移動ブロック５１′の移動に伴って、磁気式センサ７１が移動ガイド４１′の磁極面４１ａ′に対して移動すると、この磁気式センサ７１は磁極面４１ａ′のＮ極とＳ極の極性の反転に対応するパルス信号を出力する。そして、このパルス信号の数により、移動ブロック５１′の移動量（長さ）を検出することができる。また、磁極面４１ａ′の磁極は例えば２列からなり、この磁極のパターン移動ガイド４１′の長手方向にその位相が１／２π相当ずれており、磁気式センサ７１は位相のずれたパルス信号を出力するので、この位相のずれの正逆の方向により、移動ブロック５１′の移動方向が判明する。あるいは、磁極パターンは位相ずれのないＮＳＮＳ…のパターンからなるもので、センサの検出極部を１／２π相当ずらして配置するようにしてもよい。さらに、移動ブロック５１′の移動前の位置の位置情報は図示しない制御回路等により常に記憶されているので、この位置情報と上記移動量及び移動方向とにより、スライドボリューム装置全体での移動ブロック５１′の位置すなわちスライド操作子６１′の位置が検出される。
【００５９】
ここで、スライド操作子６１′を手動操作して移動ブロック５１′を移動（摺動）させる時、一般に図９の矢印Ｑで示す方向に移動ブロック５１′は加圧される。これに対して、磁気式センサ７１が、この磁気式センサ７１を設けた移動ブロック５１′を保持する移動ガイド４１′自体をセンシングするようになっている。したがって、仮に、強い加圧力により移動ガイド４１′が僅かに撓んで移動ブロック５１′が下がっても、上記クリアランスＣＲは常に一定になるので、加圧力による検出精度への影響を無くすことができる。上記のようなクリアランスが変動すると検出信号のレベル等が変化して検出精度が低下するが、上記実施例によりこのようなことがない。
【００６０】
さらに、図１０に点線で示したように、移動ガイド４１′の磁極は、移動ガイド４１′の内部よりも磁極面４１ａ′の方が強い磁化を呈して形成されているが、この磁化の強さは小さくてよい。すなわち、クリアランスＣＲが一定なので、このクリアランスＣＲそのものを小さくすることができる。したがって、磁気式センサ７１の感度を仮にクリアランスを大とした場合と同じ感度に設定したとすると、このクリアランス大とした場合よりも着磁そのものが弱くてもよい。すなわち、磁極面４１ａ′の磁化の強さは小さくてよい。この磁化の強さは、通常の加圧力あるいは通常の操作時に、磁気式センサ７１と磁極面４１ａ′によるセンシングの不感帯や不動作域がないような最小の磁力に着磁するのみでよく、しかも強い加圧力が加えられたときでも安定したセンシングが得られる。このように、クリアランスＣＲを小にして、感度向上及び検出精度向上を実現している。なお、第２の移動ガイド４２′と移動ブロック５１′とのクリアランスは大きくても感度や精度に影響しないので、ある程度ラフに設計してもよく、コストを低減することもできる。
【００６１】
図１１は移動ガイドの変形例を示す断面図である。以上の実施例の移動ガイド４１′は（Ｉ）に示した丸棒状である。（II）は断面が横に平たい長円状の棒状の形状、（III ）は断面が正方形の角棒状の形状、（IV）は断面が縦の長方形となる長尺板状の形状、（Ｖ）は断面が横の長方形となる長尺板状の形状をそれぞれ示している。移動ブロックにはこれらの移動ガイドの断面形状に整合する保持孔を設けるが、特に（IV），（Ｖ）の場合は移動ガイドは一つでよい。すなわち、第２の移動ガイド４２′は移動ブロック５１′が第１の移動ガイド４１′を軸にして回動（ローリング）するのを防ぐような補助的な役割をしている。しかし上記の（IV），（Ｖ）の場合、その一つの移動ガイドだけで移動ブロックの回動を抑えることができ、第２の移動ガイド４２′等を必要としない。
【００６２】
また、第１の移動ガイド４１′は、鉄を母材にし、ニッケル、コバルトを混合した合金で製造したので折れにくい移動ガイドともなっているが、軟鉄を上にしてその下にファライト磁石を貼り合わせて形成するようにしてもよい。このようにすると、図１１に示した（II）〜（Ｖ）のいずれでも簡単に作ることができる。例えば、磁化方法も磁気式センサに向き合う面のみに磁化を施すだけでよいので、貼り合わせによって、下のファライト磁石が磁力低下となることはない。例えば、移動ガイド４１′は、下の３％くらいしか磁化させず、上面の方は殆ど磁力はない。
【００６３】
なお、上記第２実施例において、移動ブロック５１′の下側のガイド保持部５ｂ及び保持輪５１ｂ′が第２の移動ガイド４２′の全周に嵌合する構造になっているが、この移動ガイド４２′に対して、ガイド保持部５ｂ（及び保持輪５１ｂ′）の左右両側の何れか一方が開放されていても、側板があるので移動ガイド４２′がガイド保持部５ｂから外れることがない。また、ガイド保持部５ｂ（及び保持輪５１ｂ′）の下部が開放されていてもよい。このようにすると、組み立てが容易になる。さらに、下側のガイド保持部５ｂには保持輪５１ｂ′はなくてもよい。
【００６４】
また、上記実施例のように磁気式で検出を行っているので、磁気式センサ７１のセンシング面や磁性面４１ａ′が汚れたり、クリアランス部に埃が入ったりしても検出精度が低下することがなく、汚れや埃に強いスライドボリューム装置が得られる。
【００６５】
また、図６に示したように、側板３１Ｂには、移動ブロック５１′の移動方向の中央（側板３１Ｂの長手方向の中央）に縦長のリード線取り出し口３１１が形成されている。そして、前記磁気式センサ７１及び多色ＬＥＤ素子５４′に接続されるフラットケーブル９１は、基板５２′から引き出して１８０°折返し、さらにリード線取り出し口３１１から側板３１Ｂの外部に引き出されている。すなわち、リード線取り出し口３１１が中央にあるので、フラットケーブル９１のリード線取り出し口３１１から内部にある部分の長さは移動ブロック５１′の全摺動範囲の略半分で良く、さらにそれを折返して配設しているので、フラットケーブル９１をケース３１内に容易に収容できる。したがって、フラットケーブル９１はリード線取り出し口３１１の部分で軽く固定することもでき、移動ブロック５１′が移動しても、側板３１Ｂの外側からみてフラットケーブル９１が、通常のプリンタのヘッドに接続されたケーブルのようにはブラブラしないので、当該スライドボリューム装置の機器内での収まりが良くなる。
【００６６】
上記の実施例は磁気式により非接触式を実現した例であるが、光学式によって非接触式としてもよい。この場合、例えば図９の例では第１の移動ガイド４１′の下面（磁性面４１ａ′相当の面）に例えば白黒のバーコード状の一定周期のパターンを２列形成し、磁気式センサ７１の変わりに発光ダイオードとフォトダイオード等で構成したフォトセンサを設け、上記白黒パターンによる２列に対応する前記位相差をもったパルス信号を検出信号として得るようにする。この光学式の場合も、多色ＬＥＤ素子５４′への通電とフォトセンサへの通電はフラットケーブル９１により行う。また、この場合にも、加圧力が生じてもフォトセンサで第１の移動ガイド４１′自体をセンシングするので、フォトセンサとパターン面とのクリアランス（ギャップ）を一定に保つことができるので、前記磁気式と同様に検出精度が確保される。
【００６７】
また、磁気式、光学式の何れの場合も、操作時にガイド保持部５ａが加圧方向（矢印Ｑ方向）のストッパとして働いて、移動ガイド４１′に対する移動ブロック５１′の加圧方向の位置がそれぞれ一定に規制されるので、操作感（摺動フィーリング）が向上するとともに、装置全体に対する垂直荷重の対策も施されたものとなる。
【００６８】
以上の磁気式、光学式による非接触式のスライドボリューム装置を用いたパラメータ設定装置の回路図も、前掲の図８と同様である。但し、これらの実施例においては、図８におけるボリューム回路Ｖ１は、スライドボリューム装置における磁気式センサ７１あるいはフォトセンサで得られる検出信号に応じて抵抗が設定される電子ボリュームである。そして、多色ＬＥＤ素子５４′及び導光体６１ａ′の発光色により、複数の機能のうちそのスライドボリューム装置に対して、現在どの機能が選択されているかを容易に確認することができる。
【００６９】
以上の実施例ではミキシングコンソールで音響パラメータを設定する例に説明したが、その他の機器においても、複数のパラメータを設定する場合にその機能に対応して操作子を色別で識別できるようにすることができる。
【図面の簡単な説明】
【００７０】
【図１】本発明の実施形態におけるミキシングコンソールのパラメータ設定部の拡大図である。
【図２】本発明の実施形態におけるミキシングコンソールのパネル面の全体図である。
【図３】本発明の実施形態におけるミキシングコンソールの一部回路図である。
【図４】本発明の実施形態におけるミキシングコンソールの回転式ボリューム装置の一部破砕斜視図である。
【図５】本発明の実施形態におけるミキシングコンソールのパラメータ設定部に関する回路図である。
【図６】本発明の実施形態におけるミキシングコンソールのスライドボリューム装置の要部分解斜視図である。
【図７】同スライドボリューム装置における移動ブロックの要部斜視図である。
【図８】同スライドボリューム装置を用いたパラメータ設定装置の回路図である。
【図９】実施形態における非接触式のスライドボリューム装置の他の実施例を示す要部斜視図である。
【図１０】実施例における磁気式センサと移動ガイドとのクリアランスを説明する図である。
【図１１】実施例における移動ガイドの変形例を示す断面図である。
【符号の説明】
【００７１】
１Ａ…ＤＹＮ選択操作子（第１操作子群の操作子）、１Ｂ…ＦＸ選択操作子（第１操作子群の操作子）、１Ｃ…ＡＵＸ選択操作子（第１操作子群の操作子）、１Ｄ…ＥＱ／ＰＡＮ選択操作子（第１操作子群の操作子）、２ａ，２ｂ，２ｃ，２ｄ…ボリューム操作子（第２操作子群の操作子、移動部）、２１…ノブ、２２…導光体、２３…ロータリーエンコーダ（固定部）、２４…多色発光ＬＥＤ素子（発光素子）、１１Ａ，１１Ｂ，１１Ｃ，１１Ｄ…スイッチ回路、ｂ４…ビット変換回路（識別制御手段）、ｂ５…ＬＥＤ駆動回路（識別制御手段）、３１…フレーム（固定部）、５１，５１′…移動ブロック（移動部）、５３，５３′…レバー（移動部）、５４，５４′…多色ＬＥＤ素子（発光素子）、６１，６１′…スライド操作子（移動部）、６１ａ，６１ａ′…導光体
【図１】
2006093836.tif 000003
【図２】
2006093836.tif 000004
【図３】
2006093836.tif 000005
【図４】
2006093836.tif 000006
【図５】
2006093836.tif 000007
【図６】
2006093836.tif 000008
【図７】
2006093836.tif 000009
【図８】
2006093836.tif 000010
【図９】
2006093836.tif 000011
【図１０】
2006093836.tif 000012
【図１１】
2006093836.tif 000013